(57)【特許請求の範囲】
【請求項１】
直交周波数分割多重（OFDM）システムに用いられる送信機において、
情報信号をサブキャリア変調して直交キャリア変調波を出力する直交サブキャリア変調処理部と、
前記直交サブキャリア変調波で用いられている直交性のあるサブキャリア間隔の信号から、該サブキャリア間隔より狭い、直交性のないサブキャリア間隔の信号を生成するとともに、該直交性のないサブキャリア間隔の信号の生成により生ずる干渉成分を除去する、非直交サブキャリア変換処理部と、
前記干渉成分が除去された、前記直交性のないサブキャリア間隔の信号を逆フーリエ変換する逆フーリエ変換部と、
を備えた送信機。
【請求項２】
請求項１に記載の送信機において、前記非直交サブキャリア変換処理部は、
前記直交性のあるサブキャリア間隔の信号から前記直交性のないサブキャリア間隔の信号を生成する非直交サブキャリア生成部と、
前記直交性のないサブキャリア間隔の信号を生成する際に発生する干渉成分を推定して非直交サブキャリア干渉信号を生成する非直交サブキャリア干渉推定部と、
前記直交性のないサブキャリア間隔の信号から前記非直交サブキャリア干渉信号を減算する非直交サブキャリア干渉除去部と、
を備えた送信機。
【請求項３】
直交周波数分割多重（OFDM）システムに用いられ、直交性のないサブキャリア間隔の信号を逆フーリエ変換した送信波を受信する受信機において、
前記送信波に基づく直交周波数分割多重復調波をフーリエ変換した後の信号を、直交性のないサブキャリア間隔の信号から直交性のあるサブキャリア間隔の信号へ変換する非直交サブキャリア変換処理部と、
前記直交性のあるサブキャリア間隔の信号をサブキャリア復調する直交サブキャリア変調処理部と、
を備えた受信機。
【請求項４】
請求項１又は２に記載の送信機と、該送信機から送信された送信波を受信する請求項３に記載の受信機とを備えた直交周波数分割多重システム。
【請求項５】
請求項１又は２に記載の送信機において、該送信機は、光波長多重伝送システムに用いられる送信機であることを特徴とする送信機。
【請求項６】
請求項３に記載の受信機において、該受信機は、光波長多重伝送システムに用いられる受信機であることを特徴とする受信機。
【請求項７】
請求項４に記載の直交周波数分割多重システムにおいて、該直交周波数分割多重システムは、光波長多重伝送システムであることを特徴とする直交周波数分割多重システム。
【請求項８】
直交周波数分割多重（OFDM）システムに用いられる送信機のデータ送信方法において、
情報信号をサブキャリア変調して直交キャリア変調波を生成し、
前記直交サブキャリア変調波で用いられている直交性のあるサブキャリア間隔の信号から、該サブキャリア間隔より狭い、直交性のないサブキャリア間隔の信号を生成し、
該直交性のないサブキャリア間隔の信号の生成により生ずる干渉成分を除去し、
前記干渉成分が除去された、前記直交性のないサブキャリア間隔の信号を逆フーリエ変換するデータ送信方法。
【請求項９】
直交周波数分割多重（OFDM）システムに用いられ、直交性のないサブキャリア間隔の信号を逆フーリエ変換した送信波を受信する受信機のデータ受信方法において、
前記送信波に基づく直交周波数分割多重復調波をフーリエ変換した後の信号を、直交性のないサブキャリア間隔の信号から直交性のあるサブキャリア間隔の信号へ変換し、
前記直交性のあるサブキャリア間隔の信号をサブキャリア復調するデータ受信方法。
【発明の詳細な説明】
【技術分野】
【０００１】
本発明は、直交周波数分割多重（OFDM）システム、送信機、受信機、データ送信方法およびデータ受信方法に係わり、特に非直交サブキャリアを用いた直交周波数分割多重システム、送信機、受信機、データ送信方法およびデータ受信方法に関する。
【背景技術】
【０００２】
昨今、無線ＬＡＮ、デジタル放送、光波長多重伝送において、直交周波数分割多重(OFDM)アクセス方式を用いたシステムが運用されている。直交周波数分割多重(OFDM)アクセス方式は、多数のサブキャリアを使用し、１つ以上の情報信号を多数のサブキャリアにて伝送することにより、耐雑音性の向上等を実現し、結果として大容量伝送が可能なアクセスシステムである。
【０００３】
直交周波数分割多重(OFDM)アクセス方式としては、特許文献１に記載の方式がある。特許文献１に記載の発明は、周波数利用効率を向上させるために、複数の運用システム間で直交性を保つサブキャリアの使用構成を最適化する方式に関するものである。
【先行技術文献】
【特許文献】
【０００４】
【特許文献１】特表２０１０−５２２５００号公報（段落００１０−００１６、要約）
【発明の概要】
【発明が解決しようとする課題】
【０００５】
直交周波数分割多重(OFDM)方式では多数のサブキャリアを使用するが、各サブキャリアでは独立したデータ伝送が必要であり、互いのサブキャリアが他のサブキャリアに対して影響を与えないこと、すなわちサブキャリア間に直交性があることが求められる。更なる伝送容量増大を実現するためには、送信信号の多値変復調化や使用する周波数帯域の広帯域化が求められる。
【０００６】
多値変復調化については、伝搬路特性に適した変復調が求められるが、劣悪な無線伝搬路での多値化は容易ではない。また周波数帯域の広帯域化については、各国の周波数政策により使用可能な周波数帯域幅が制定、制限されていることが現状であり、使用する周波数帯域の広帯域化も容易ではない。
【０００７】
直交周波数分割多重(OFDM)アクセス方式のみならず、他の無線通信システムにおいても、年々データトラフィック容量が増大する中で、有限リソースである周波数帯域を効率的に使用するために、より周波数利用効率の高いシステムが求められている。
本発明の典型的な目的は、周波数の利用効率を向上することができ、かつデータ伝送速度を向上することができる直交周波数分割多重システムを提供することにある。
【課題を解決するための手段】
【０００８】
本発明に係わる送信機は、直交周波数分割多重（OFDM）システムに用いられる送信機において、
情報信号をサブキャリア変調して直交キャリア変調波を出力する直交サブキャリア変調処理部と、
前記直交サブキャリア変調波で用いられている直交性のあるサブキャリア間隔の信号から、該サブキャリア間隔より狭い、直交性のないサブキャリア間隔の信号を生成するとともに、該直交性のないサブキャリア間隔の信号の生成により生ずる干渉成分を除去する、非直交サブキャリア変換処理部と、
前記干渉成分が除去された、前記直交性のないサブキャリア間隔の信号を逆フーリエ変換する逆フーリエ変換部と、
を備えた送信機である。
【０００９】
本発明に係わる受信機は、直交周波数分割多重（OFDM）システムに用いられ、直交性のないサブキャリア間隔の信号を逆フーリエ変換した送信波を受信する受信機において、
前記送信波に基づく直交周波数分割多重復調波をフーリエ変換した後の信号を、直交性のないサブキャリア間隔の信号から直交性のあるサブキャリア間隔の信号へ変換する非直交サブキャリア変換処理部と、
前記直交性のあるサブキャリア間隔の信号をサブキャリア復調する直交サブキャリア変調処理部と、
を備えた受信機である。
【００１０】
本発明に係わるデータ送信方法は、直交周波数分割多重（OFDM）システムに用いられる送信機のデータ送信方法において、
情報信号をサブキャリア変調して直交キャリア変調波を生成し、
前記直交サブキャリア変調波で用いられている直交性のあるサブキャリア間隔の信号から、該サブキャリア間隔より狭い、直交性のないサブキャリア間隔の信号を生成し、
該直交性のないサブキャリア間隔の信号の生成により生ずる干渉成分を除去し、
前記干渉成分が除去された、前記直交性のないサブキャリア間隔の信号を逆フーリエ変換するデータ送信方法である。
【００１１】
本発明に係わるデータ受信方法は、直交周波数分割多重（OFDM）システムに用いられ、直交性のないサブキャリア間隔の信号を逆フーリエ変換した送信波を受信する受信機のデータ受信方法において、
前記送信波に基づく直交周波数分割多重復調波をフーリエ変換した後の信号を、直交性のないサブキャリア間隔の信号から直交性のあるサブキャリア間隔の信号へ変換し、
前記直交性のあるサブキャリア間隔の信号をサブキャリア復調するデータ受信方法である。
【発明の効果】
【００１２】
本発明によれば以下の典型的な効果を得ることができる。
【００１３】
第１の効果は従来方式より狭いサブキャリア間隔での変調方式を適用しているので、占有する周波数帯域を、従来方式のそれより狭帯域にできることである。
【００１４】
第２の効果は従来方式より狭いサブキャリア間隔での変調方式を適用しているので、従来方式より高い周波数利用効率を実現できることである。
【００１５】
第３の効果は従来方式より狭いサブキャリア間隔での変調方式を適用しているので、従来方式の同一周波数帯域内でのサブキャリア数を増大することができることである。
【００１６】
第４の効果は従来方式の機能を変更することなく、従来方式の機能ブロック間に非直交サブキャリア変換処理部を挿入する構成としているので、既存生産ラインの大幅な変更はなく、拡張できることである。
【図面の簡単な説明】
【００１７】
【図１】本発明に係わる送信機の一実施形態の構成を示すブロック図である。
【図２】本発明に係わる受信機の一実施形態の構成を示すブロック図である。
【図３】本発明に係わる送信機の非直交サブキャリア変換処理部のブロック図である。
【図４】本発明に係わる送信機の非直交サブキャリア変換処理部内の非直交サブキャリア生成部のブロック図である。
【図５】本発明に係わる送信機の非直交サブキャリア変換処理部内の非直交サブキャリア干渉推定部のブロック図である。
【図６】本発明に係わる受信機の非直交サブキャリア変換処理部のブロック図である。
【図７】送信機の主要な一部の動作を示すフローチャートである。
【図８】受信機の主要な一部の動作を示すフローチャートである。
【発明を実施するための形態】
【００１８】
次に、本発明の典型的な実施の形態について図面を参照して詳細に説明する。図１は本発明に係わる送信機の一実施形態の構成を示すブロック図である。図２は本発明に係わる受信機の一実施形態の構成を示すブロック図である。図１に示した送信機と図２に示した受信機とで直交周波数分割多重（ＯＦＤＭ）システムが構成される。図７は、送信機の主要な一部の動作を示すフローチャートである。図８は、受信機の主要な一部の動作を示すフローチャートである。
【００１９】
まず、図１、図３及び図７を用いて送信機について説明する。
【００２０】
図１において、直並列変換部１１は情報データを入力信号とし、情報データをサブキャリア変調に適した信号に変換し、サブキャリア変調基底信号を出力する。直交サブキャリア変調処理部１２はサブキャリア変調基底信号を入力信号とし、サブキャリア変調基底信号をサブキャリア変調し、直交サブキャリア変調波を出力する（ステップＳ３１）。非直交サブキャリア変換処理部１３は直交サブキャリア変調波を入力信号とし、非直交サブキャリア間で発生する他サブキャリアへの干渉成分を入力信号から事前に除去し、非直交キャリア変調波を出力する。
【００２１】
ここで、図１の非直交サブキャリア変換処理部１３の構成について説明する。図３は非直交サブキャリア変換処理部１３のブロック図である。
【００２２】
図３の非直交サブキャリア変換処理部１３は直交サブキャリア変調波を入力信号とする。直交サブキャリア変調波は、非直交サブキャリア変換処理部１３内の非直交サブキャリア生成部１３１、非直交サブキャリア干渉推定部１３２および非直交サブキャリア干渉除去部１３３における処理を経て、非直交キャリア変調波として非直交サブキャリア変換処理部１３から出力される。
【００２３】
図３の非直交サブキャリア生成部１３１は直交サブキャリア変調波を入力信号とし、直交性のあるサブキャリアにて構成された変調波から直交性のないサブキャリア変調波を生成し、非直交サブキャリア生成信号を出力する（ステップＳ３２）。図３の非直交サブキャリア干渉推定部１３２は直交サブキャリア変調波を入力信号とし、非直交サブキャリア生成部１３１にて直交性のあるサブキャリアにて構成された変調波から直交性のないサブキャリア変調波を生成する際に発生する干渉成分を、入力信号である直交サブキャリア変調波から推定し、その推定結果を非直交サブキャリア干渉信号として出力する（ステップＳ３３）。図３の非直交サブキャリア干渉除去部１３３は非直交サブキャリア生成部１３１の出力信号である非直交サブキャリア生成信号と、非直交サブキャリア干渉推定部１３２の出力信号である非直交サブキャリア干渉信号を入力信号とし、非直交サブキャリア生成信号から非直交サブキャリア干渉信号を周波数軸上で減算した結果を非直交キャリア変調波として出力する（ステップＳ３４）。
【００２４】
非直交キャリア変調波を用いる以降の処理を図１に戻り説明する。逆フーリエ変換部１４は非直交キャリア変調波を入力信号とし、入力信号をOFDM変調し、第１のOFDM変調波を出力する（ステップＳ３５）。ガードインターバル挿入処理部１５は第１のOFDM変調波を入力信号とし、第１のOFDM変調波に対して無線伝搬遅延対策を講じたガードインターバルを挿入し、第２のOFDM変調波を出力する。無線送信処理部１６はガードインターバルを挿入した第２のOFDM変調波を入力信号とし、入力信号をキャリア変調し、無線伝搬路へ送信する。
【００２５】
まず、図２及び図８を用いて受信機について説明する。
【００２６】
図２において、無線受信処理部２１は図１に示した送信機から発信された無線受信波を入力信号とし、無線受信波をキャリア復調し、無線復調波を出力する。ガードインターバル除去処理部２２は無線復調波を入力信号とし、無線復調波からガードインターバルを除去し、第１のOFDM復調波を出力する。フーリエ変換部２３は第１のOFDM復調波を入力信号とし、第１のOFDM復調波をOFDM復調し、フーリエ変換された第２のOFDM復調波を出力する（ステップＳ４１）。非直交サブキャリア変換処理部２４は第２のOFDM復調波を入力信号とし、第２のOFDM復調波を直交サブキャリア復調に適した直交性があるサブキャリアへのマッピング情報に変換し、非直交キャリア復調波を出力する（ステップＳ４２）。直交サブキャリア復調処理部２５は非直交キャリア復調波を入力信号とし、非直交キャリア復調波をサブキャリア復調し、推定サブキャリア復調基底信号を出力する（ステップＳ４３）。並直列変換部２６は推定サブキャリア復調基底信号を入力信号とし、推定サブキャリア復調基底信号を硬判定し、推定情報データを出力する。
（動作の説明） 
次に図１の非直交サブキャリア変換処理部１３の動作を図３、図４及び図５を用いてさらに説明する。
【００２７】
図３は非直交サブキャリア変換処理部１３のブロック図である。図４は非直交サブキャリア変換処理部１３内の非直交サブキャリア生成部１３１のブロック図である。図５は非直交サブキャリア変換処理部１３内の非直交サブキャリア干渉推定部１３２のブロック図である。
【００２８】
図４に示すように、非直交サブキャリア生成部１３１はサブキャリア間隔変換処理部１３１１を備え、周波数の変換処理を行う。
【００２９】
非直交サブキャリア生成部１３１のサブキャリア間隔変換処理部１３１１には、図３及び図４に示すように、直交サブキャリア変調処理部１２から直交サブキャリア変調波が入力される。非直交サブキャリア生成部１３１では、入力信号である直交サブキャリア変調波で用いられている直交性のあるサブキャリア間隔の信号から直交性のないサブキャリア間隔の信号を生成する処理を行い、この処理結果を非直交サブキャリア生成信号として出力する。
【００３０】
図４の非直交サブキャリア生成部１３１の入力信号である直交サブキャリア変調波を次のように定義する。直交サブキャリア変調波のサブキャリア間隔をＢ、直交サブキャリア変調波にて用いるサブキャリア数をＮとすると、直交サブキャリア変調波は、周波数ｆ｛０｝、ｆ｛１｝、ｆ｛２｝、・・・、ｆ｛Ｎ−１｝のサブキャリアを群とした信号となる。
【００３１】
また図４の非直交サブキャリア生成部１３１の出力信号である非直交サブキャリア生成信号を次のように定義する。非直交サブキャリア生成信号のサブキャリア間隔をＢ’（Ｂ’＜Ｂ）、 非直交サブキャリア生成信号にて用いるサブキャリア数は直交サブキャリア変調波１と同一のＮとすると、非直交サブキャリア生成信号１は、周波数ｆ’｛０｝、ｆ’｛１｝、ｆ’｛２｝、・・・、ｆ’｛Ｎ−１｝のサブキャリアを群とした信号となる。
【００３２】
非直交サブキャリア生成部１３１のサブキャリア間隔変換処理部１３１１では、直交サブキャリア変調波のサブキャリア間隔Ｂからサブキャリア間隔Ｂ’の信号を生成する際、サブキャリア間隔Ｂ’において直交性がないため、干渉成分が発生する。この干渉成分を後述する非直交サブキャリア干渉推定部１３２において推定する。
【００３３】
次に図３の非直交サブキャリア干渉推定部１３２の構成を図５に示す。
【００３４】
非直交サブキャリア干渉推定部１３２では、図４の非直交サブキャリア生成部１３２にて発生した干渉成分を推定するために、ｆ｛０｝干渉推定部１３２０、ｆ｛１｝干渉推定部１３２１、ｆ｛２｝干渉推定部１３２２、・・・、ｆ｛Ｎ−１｝干渉推定部１３２３のそれぞれにおいて、入力信号である直交サブキャリア変調波のサブキャリア間隔Ｂをサブキャリア間隔Ｂ’に変換する処理をサブキャリア毎に処理し、干渉成分を推定する。
【００３５】
具体的にはサブキャリア間隔Ｂをサブキャリア間隔Ｂ’にする際、例えば周波数ｆ｛０｝からｆ’｛０｝に変換する際、周波数ｆ’｛１｝のサブキャリア、周波数ｆ’｛２｝のサブキャリアに対して干渉成分を及ぼし、この干渉成分量を算出する。そして、ｆ干渉結合部１３２４において、周波数ｆ’｛０｝、ｆ’｛１｝、ｆ’｛２｝、・・・、ｆ’｛Ｎ−１｝、それぞれに対して干渉成分となる総和を非直交サブキャリア干渉信号として算出する。この総干渉成分量が非直交サブキャリア干渉推定部１３２の出力となる。
【００３６】
非直交サブキャリア生成部１３１より出力される非直交サブキャリア生成信号に含まれる干渉成分は、非直交サブキャリア干渉推定部１３２により算出された干渉成分量である、非直交サブキャリア干渉信号１、ｉ’｛０｝、ｉ’｛１｝、ｉ’｛２｝、・・・、ｉ’｛Ｎ−１｝となる。
【００３７】
図３の非直交サブキャリア干渉除去部１３３内の処理は周波数上での減算処理である。
【００３８】
次に図２の非直交サブキャリア変換処理部２４の構成を図６に示す。
【００３９】
図６の非直交サブキャリア変換処理部２４では、サブキャリア間隔Ｂ’の非直交サブキャリアにて多重された第２のOFDM復調波を入力信号とする。
【００４０】
図６に示すように、非直交サブキャリア変換処理部２４はサブキャリア間隔変換処理部２４１を含み、サブキャリア間隔変換処理部２４１では、サブキャリア間隔Ｂ’の第２のOFDM復調波を図３の非直交サブキャリア変換処理部１３の入力信号である直交サブキャリア変調波のサブキャリア間隔Ｂへ変換する。図６のサブキャリア間隔変換処理部２４１の処理は周波数の変換処理である。
【００４１】
図２の非直交サブキャリア変換処理部２４はサブキャリア間隔の変換処理のみであり、従来方式のサブキャリア復調処理部を変更せずに適用できる構成である。
【００４２】
以上、本実施形態の送信機及び受信機の構成を述べたが、図1の直並列変換部１１、直交サブキャリア変調処理部１２、逆フーリエ変換部１４、ガードインターバル挿入処理部１５、無線送信処理部１６および図２の無線受信処理部２１、ガードインターバル除去処理部２２、フーリエ変換部２３、直交サブキャリア復調処理部２５、並直列変換部２６は、当業者にとってよく知られているので、その構成の詳細説明は省略する。
【００４３】
本発明は上記の実施形態に限定されるものではなく、例えばマルチキャリア多重方式や光波長多重方式などの他の多重方式にも適用することができる。  
【００４４】
本実施形態に関連する発明としては、特許文献１に記載の発明がある。特許文献１の発明は、周波数利用効率の向上の目的のために、複数の運用システム間で直交性を保つサブキャリアの使用構成を最適化する方式に対し、本実施形態の方式は、従来方式に比し、狭いサブキャリア間隔を適用することにより使用する周波数帯域幅の狭帯域化を図る方式であり、実施する方式が異なる。更に本実施形態の方式では同一周波数帯域幅を用いた従来方式に比し、周波数利用効率の向上効果によりデータ伝送速度の向上が可能である。
【００４５】
本実施形態の構成では、従来方式より狭いサブキャリア間隔での変調方式を適用してするため、直交性がない（非直交）サブキャリアに多重する際に、他サブキャリアへの干渉成分が発生する。この他サブキャリアへの干渉成分を事前に除去する機能を有する非直交サブキャリア変換処理部をデータ送信側に具備することにより、本来直交がないサブキャリア間で直交性があるデータを生成する。更に従来方式に非直交サブキャリア変換処理部２をデータ受信側に具備することにより、直交性がない（非直交）サブキャリアにて受信したデータを直交性があるサブキャリアへのマッピング情報に変換し、送信データを推定する。
【００４６】
本実施形態の構成では、サブキャリア間隔を狭帯域化できることにより、占有する周波数帯域も従来のそれより狭帯域化することができる。このことにより本実施形態の方式は、従来方式より高い周波数利用効率を実現することができる。
【００４７】
本実施形態に係わる誤り訂正符号化装置は専用ＩＣ等のハードウェアで構成されるが、図１、３−５の送信機、又は／及び図２及び図６の受信機に示す構成部の全部又は一部をコンピュータを用いてソフトウェアで実現することもできる。
【００４８】
コンピュータをＣＰＵ、ハードディスク等のディスク装置（ＲＯＭ等の記憶手段であってもよい）、キーボード等の入力部、ＲＡＭ等のメモリ、液晶ディスプレイ等の表示部で構成し、各部をバスで接続する。そして、図１に示した直並列変換部１１〜無線送信処理部１６の全部又は一部（特に非直交サブキャリア変換部１３）、又は／及び、図２に示した無線受信処理部２１〜並直列変換部２６の全部又は一部（特に非直交サブキャリア変換部２４）の動作をプログラムで記述し、このプログラムをハードディスク等のディスク装置に記憶し、演算に必要な情報をＲＡＭ等のメモリに記憶し、ＣＰＵで当該プログラムを動作させることで、本実施形態の送信機又は／及び受信機の機能をプログラムで実現することができる。当該プログラムは、ＤＶＤ、ＣＤ−ＲＯＭ、ＵＳＢメモリ等のコンピュータ読み取り可能な記録媒体に記録し、ハードディスクにインストールすることで、コンピュータに読み込むことができる。
【００４９】
上記の実施形態の一部又は全部は、以下の付記のようにも記載されうるが、以下の構成には限られない。
【００５０】
（付記１）
直交周波数分割多重（OFDM）システムに用いられる送信機において、
情報信号をサブキャリア変調して直交キャリア変調波を出力する直交サブキャリア変調処理部と、
前記直交サブキャリア変調波で用いられている直交性のあるサブキャリア間隔の信号から、該サブキャリア間隔より狭い、直交性のないサブキャリア間隔の信号を生成するとともに、該直交性のないサブキャリア間隔の信号の生成により生ずる干渉成分を除去する、非直交サブキャリア変換処理部と、
前記干渉成分が除去された、前記直交性のないサブキャリア間隔の信号を逆フーリエ変換する逆フーリエ変換部と、
を備えた送信機。
【００５１】
（付記２）
付記１の送信機において、前記非直交サブキャリア変換処理部は、
前記直交性のあるサブキャリア間隔の信号から前記直交性のないサブキャリア間隔の信号を生成する非直交サブキャリア生成部と、
前記直交性のないサブキャリア間隔の信号を生成する際に発生する干渉成分を推定して非直交サブキャリア干渉信号を生成する非直交サブキャリア干渉推定部と、
前記直交性のないサブキャリア間隔の信号から前記非直交サブキャリア干渉信号を減算する非直交サブキャリア干渉除去部と、
を備えた送信機。
【００５２】
（付記３）
直交周波数分割多重（OFDM）システムに用いられ、直交性のないサブキャリア間隔の信号を逆フーリエ変換した送信波を受信する受信機において、
前記送信波に基づく直交周波数分割多重復調波をフーリエ変換した後の信号を、直交性のないサブキャリア間隔の信号から直交性のあるサブキャリア間隔の信号へ変換する非直交サブキャリア変換処理部と、
前記直交性のあるサブキャリア間隔の信号をサブキャリア復調する直交サブキャリア変調処理部と、
を備えた受信機。
【００５３】
（付記４）
付記１又は２の送信機と、該送信機から送信された送信波を受信する付記３に記載の受信機とを備えた直交周波数分割多重システム。
【００５４】
（付記５）
付記１又は２の送信機において、該送信機は、光波長多重伝送システムに用いられる送信機であることを特徴とする送信機。
【００５５】
（付記６）
付記３の受信機において、該受信機は、光波長多重伝送システムに用いられる受信機であることを特徴とする受信機。
【００５６】
（付記７）
付記４の直交周波数分割多重システムにおいて、該直交周波数分割多重システムは、光波長多重伝送システムであることを特徴とする直交周波数分割多重システム。
【００５７】
（付記８）
直交周波数分割多重（OFDM）システムに用いられる送信機のデータ送信方法において、
情報信号をサブキャリア変調して直交キャリア変調波を生成し、
前記直交サブキャリア変調波で用いられている直交性のあるサブキャリア間隔の信号から、該サブキャリア間隔より狭い、直交性のないサブキャリア間隔の信号を生成し、
該直交性のないサブキャリア間隔の信号の生成により生ずる干渉成分を除去し、
前記干渉成分が除去された、前記直交性のないサブキャリア間隔の信号を逆フーリエ変換するデータ送信方法。
【００５８】
（付記９）
直交周波数分割多重（OFDM）システムに用いられ、直交性のないサブキャリア間隔の信号を逆フーリエ変換した送信波を受信する受信機のデータ受信方法において、
前記送信波に基づく直交周波数分割多重復調波をフーリエ変換した後の信号を、直交性のないサブキャリア間隔の信号から直交性のあるサブキャリア間隔の信号へ変換し、
前記直交性のあるサブキャリア間隔の信号をサブキャリア復調するデータ受信方法。
【００５９】
（付記１０）
直交周波数分割多重（OFDM）システムに用いられる送信機としてのコンピュータに、
情報信号をサブキャリア変調して直交キャリア変調波を生成し、
前記直交サブキャリア変調波で用いられている直交性のあるサブキャリア間隔の信号から、該サブキャリア間隔より狭い、直交性のないサブキャリア間隔の信号を生成し、
該直交性のないサブキャリア間隔の信号の生成により生ずる干渉成分を除去し、
前記干渉成分が除去された、前記直交性のないサブキャリア間隔の信号を逆フーリエ変換するように機能させるためのプログラム。
【００６０】
（付記１１）
直交周波数分割多重（OFDM）システムに用いられ、直交性のないサブキャリア間隔の信号を逆フーリエ変換した送信波を受信する受信機としてのコンピュータに、
前記送信波に基づく直交周波数分割多重復調波をフーリエ変換した後の信号を、直交性のないサブキャリア間隔の信号から直交性のあるサブキャリア間隔の信号へ変換し、
前記直交性のあるサブキャリア間隔の信号をサブキャリア復調するように機能させるためのプログラム。
【産業上の利用可能性】
【００６１】
本発明は、周波数の利用効率の向上、データ伝送速度を向上が求められる、直交周波数分割多重システム、送信機、受信機、データ送信方法およびデータ受信方法に用いられる。
【符号の説明】
【００６２】
１１  直並列変換部
１２  直交サブキャリア変調処理部
１３  非直交サブキャリア変換処理部
１４  逆フーリエ変換部
１５  ガードインターバル挿入処理部
１６  無線送信処理部
２１  無線受信処理部
２２  ガードインターバル除去処理部
２３  フーリエ変換部
２４  非直交サブキャリア変換処理部
２５  直交サブキャリア復調処理部
２６  並直列変換部
【図１】
0005327907.tif 000002
【図２】
0005327907.tif 000003
【図３】
0005327907.tif 000004
【図４】
0005327907.tif 000005
【図５】
0005327907.tif 000006
【図６】
0005327907.tif 000007
【図７】
0005327907.tif 000008
【図８】
0005327907.tif 000009